(57)【要約】【課題】プレビュー画像を短時間で表示することができる画像処理装置を提供する。【解決手段】画像処理装置１０１は、着脱部６１とイメージプロセッサー８４と表示部３０と表示制御部１１ｄと記憶部５１、５２と記憶制御部１１ｅとを備える。着脱部６１は、情報が記憶された記憶媒体６２が着脱される。イメージプロセッサー８４は、情報に基づいてプレビュー画像を作成する。表示部３０は、プレビュー画像を表示する。表示制御部１１ｄは、イメージプロセッサー８４及び表示部３０を制御する。記憶制御部１１ｅは、プレビュー画像を記憶部５１、５２に記憶させる。イメージプロセッサー８４は、情報をラスター処理する第１イメージプロセッサー８３を含む。【選択図】図４
2020049751.tif 000002
【特許請求の範囲】
【請求項１】
情報が記憶された記憶媒体が着脱される着脱部と、
前記情報に基づいてプレビュー画像を作成するイメージプロセッサーと、
前記プレビュー画像を表示する表示部と、
前記イメージプロセッサー及び前記表示部を制御する表示制御部と、
記憶部と、
前記プレビュー画像を前記記憶部に記憶させる記憶制御部と
を備え、
前記イメージプロセッサーは、前記情報をラスター処理する第１イメージプロセッサーを含む、画像処理装置。
【請求項２】
複数の前記情報の内から所定情報が選択される選択部と、
前記所定情報に基づく前記プレビュー画像が前記記憶部に記憶されているか否かを判定する判定部と
を備え、
前記プレビュー画像が前記記憶部に記憶されていると前記判定部が判定したときに、前記表示制御部は、前記記憶部に記憶された前記プレビュー画像を前記表示部に表示させる、請求項１に記載の画像処理装置。
【請求項３】
前記記憶制御部は、前記所定情報に識別記号を付与するとともに、前記所定情報に基づく前記プレビュー画像を前記識別記号と対応付けて前記記憶部に記憶させ、
前記選択された所定情報に前記識別記号が付与されているときに、前記プレビュー画像が前記記憶部に記憶されていると前記判定部は判定し、
前記表示制御部は、前記識別記号に対応付けられた前記プレビュー画像を前記表示部に表示させる、請求項２に記載の画像処理装置。
【請求項４】
前記記憶媒体は、可搬記憶媒体である、請求項１から請求項３のいずれか１項に記載の画像処理装置。
【請求項５】
前記イメージプロセッサーは、第２イメージプロセッサーを更に含み、
前記第２イメージプロセッサーは、前記第１イメージプロセッサーでラスター処理されたラスターイメージを縮小処理することによって、前記プレビュー画像を作成する、請求項４に記載の画像処理装置。
【請求項６】
前記表示部は、表示画面を有し、
前記表示制御部は、前記ラスターイメージの面積と、前記表示画面の面積とを比較し、
前記第２イメージプロセッサーが前記ラスターイメージを縮小処理することを、前記表示制御部は比較結果に基づいて規制する、請求項５に記載の画像処理装置。
【請求項７】
前記第１イメージプロセッサーは、前記情報の一部をラスター処理する、請求項１から請求項６のいずれか１項に記載の画像処理装置。
【請求項８】
前記記憶媒体が前記着脱部から取り外されたか否かを検知する検知部を更に備え、
前記記憶媒体が前記着脱部から取り外されたと前記検知部が検知したときに、前記記憶制御部は、前記記憶部から前記プレビュー画像を削除する、請求項１から請求項７のいずれか１項に記載の画像処理装置。
【請求項９】
前記情報を示す画像を記録媒体に形成する画像形成部を更に備える、請求項１から請求項８のいずれか１項に記載の画像処理装置。
【発明の詳細な説明】
【技術分野】
【０００１】
本発明は、画像処理装置に関する。
【背景技術】
【０００２】
画像形成装置は、着脱部と、ラスターイメージプロセッサー（ＲＩＰ、Ｒａｓｔｅｒ  Ｉｍａｇｅ  Ｐｒｏｃｅｓｓｏｒ）と、縮小処理プロセッサーと、表示部と、表示制御部とを備える（例えば、特許文献１参照）。記憶媒体は着脱部に着脱される。記憶媒体は、例えば、ＵＳＢメモリーである。記憶媒体は、情報を記憶する。情報は、例えば、ページ記述言語データである。ＲＩＰは、情報をラスター処理することによって、ラスターイメージを生成する。縮小処理プロセッサーは、ラスターイメージを縮小処理することによって、縮小ラスターイメージを生成する。表示制御部は、プレビュー画像として縮小ラスターイメージを表示部に表示させる。
【先行技術文献】
【特許文献】
【０００３】
【特許文献１】特開２００４−２７２４９５号公報
【発明の概要】
【発明が解決しようとする課題】
【０００４】
しかしながら、特許文献１に記載の画像形成装置では、プレビュー画像を表示部に表示させるために、情報がラスター処理される必要があった。そのため、プレビュー画像が表示部に表示されるまでに要する時間が長かった。
【０００５】
本発明は上記課題に鑑みてなされたものであり、プレビュー画像を短時間で表示することができる画像処理装置を提供することを目的とする。
【課題を解決するための手段】
【０００６】
本発明に係る画像処理装置は、着脱部と入力部とイメージプロセッサーと表示部と表示制御部と記憶部と記憶制御部とを備える。着脱部は、情報が記憶された記憶媒体が着脱される。イメージプロセッサーは、情報に基づいてプレビュー画像を作成する。表示部は、プレビュー画像を表示する。表示制御部は、イメージプロセッサー及び表示部を制御する。記憶制御部は、プレビュー画像を記憶部に記憶させる。イメージプロセッサーは、情報をラスター処理する第１イメージプロセッサーを含む。
【発明の効果】
【０００７】
本発明の画像処理装置によれば、プレビュー画像を短時間で表示することができる。
【図面の簡単な説明】
【０００８】
【図１】本実施形態に係る画像形成装置の構成の一例を示す図である。
【図２】本実施形態に係るファイル一覧画像を示す図である。
【図３】本実施形態に係る画像形成装置を示すブロック図である。
【図４】本実施形態に係る制御装置の処理を示すフローチャートである。
【発明を実施するための形態】
【０００９】
以下、本発明の実施形態について、図面を参照しながら説明する。なお、図中、同一又は相当部分については同一の参照符号を付して説明を繰り返さない。
【００１０】
まず、図１を参照して、本発明の実施形態に係る画像形成装置１００の構成について説明する。図１は、本実施形態に係る画像形成装置１００の構成の一例を示す図である。画像形成装置１００は、例えば、複写機、プリンター又は複合機である。以下では、一例として、画像形成装置１００がプリンター機能と複写機能とを有するモノクロ複合機である場合について説明する。
【００１１】
図１に示すように、画像形成装置１００は、画像処理装置１０１と、プリンター部８１とを備える。プリンター部８１は、画像形成部の一例である。画像処理装置１０１は、制御装置１０と、表示部３０と、着脱部６１とを備える。
【００１２】
プリンター部８１は、原稿読取部７０、画像形成ユニット８０、給送部９０、搬送部９１及び排出部９２を備える。
【００１３】
原稿読取部７０は、原稿Ｇの画像を読み取る。給送部９０は、複数のシートＳを収容し、搬送部９１へシートＳを給送する。シートＳは、記録媒体であり、例えば、紙製又は合成樹脂製のシートである。搬送部９１は、複数の搬送ローラー対を含み、画像形成ユニット８０にシートＳを搬送する。
【００１４】
例えば、画像形成ユニット８０は、シートＳに印刷画像を形成し、印刷画像を加熱及び加圧してシートＳに印刷画像を定着させる。画像形成ユニット８０は、感光体ドラムと、帯電装置と、露光装置と、現像装置と、転写装置と、クリーニング装置と、除電装置と、定着装置とを含む。
【００１５】
搬送部９１は、印刷画像の定着されたシートＳを排出部９２に搬送する。排出部９２は画像形成装置１００の外部にシートＳを排出する。
【００１６】
着脱部６１は、記憶媒体６２が着脱可能である。記憶媒体６２は、例えば、可搬記憶媒体を含み、ＵＳＢ（Ｕｎｉｖｅｒｓａｌ  Ｓｅｒｉａｌ  Ｂｕｓ）メモリー、又は、ＳＤ（Ｓｅｃｕｒｅ  Ｄｉｇｉｔａｌ）カードである。記憶媒体６２には、複数のファイルＡ〜Ｅが記憶されている。複数のファイルＡ〜Ｅの各々には、ファイル名がユーザーによって付与されている。
【００１７】
複数のファイルＡ〜Ｅの各々は、情報を含む。情報は、例えば、ページ記述言語データである。複数のファイルＡ〜Ｅの各々に含まれる情報のファイル形式は、例えば、ＰＤＦ（Ｐｏｒｔａｂｌｅ  Ｄｏｃｕｍｅｎｔ  Ｆｏｒｍａｔ）、ＴＩＦＦ（ｔａｇ  ｉｍａｇｅ  ｆｉｌｅ  ｆｏｒｍａｔ）、ＸＰＳ（ＸＭＬ  Ｐａｐｅｒ  Ｓｐｅｃｉｆｉｃａｔｉｏｎ）、又は、ＪＰＥＧ（Ｊｏｉｎｔ  Ｐｈｏｔｏｇｒａｐｈｉｃ  Ｅｘｐｅｒｔｓ  Ｇｒｏｕｐ）である。
【００１８】
表示部３０は、表示画面を有するＬＣＤ（Ｌｉｑｕｉｄ  Ｃｒｙｓｔａｌ  Ｄｉｓｐｌａｙ）を含む。また、表示部３０は、タッチパネル機能を組み合わせたタッチパネルユニットを備える。表示部３０の表示画面には、制御装置１０による制御の下で、種々の操作画像が表示される。表示部３０は、ファイル一覧画像４０を表示する。
【００１９】
図１及び図２を参照してファイル一覧画像４０を説明する。図２は、本実施形態に係るファイル一覧画像４０を示す図である。図２に示すように、ファイル一覧画像４０は、複数のファイル画像４１Ａ〜４１Ｅを含む。複数のファイル画像４１Ａ〜４１Ｅの各々は、記憶媒体６２に記憶されたファイルＡ〜Ｅを示す。複数のファイル画像４１Ａ〜４１Ｅの各々は、ファイル名画像と、ファイル形式画像と、識別記号画像とを含む。
【００２０】
例えば、ファイル画像４１Ａは、ファイルＡを示す。ファイル画像４１Ａ中のファイル名画像は「ａａａ」を示し、ファイル形式画像は「ＰＤＦ」を示し、識別記号画像は「０００」を示す。ファイル画像４１Ｂは、ファイルＢを示す。ファイル画像４１Ｂ中のファイル名画像は「ｂｂｂ」を示し、ファイル形式画像は「ＰＤＦ」を示し、識別記号画像は「００１」を示す。ファイル画像４１Ｃは、ファイルＣを示す。ファイル画像４１Ｃ中のファイル名画像は「ｃｃｃ」を示し、ファイル形式画像は「ＴＩＦＦ」を示し、識別記号画像は「０００」を示す。ファイル画像４１Ｄは、ファイルＤを示す。ファイル画像４１Ｄ中のファイル名画像は「ｄｄｄ」を示し、ファイル形式画像は「ＸＰＳ」を示し、識別記号画像は「００２」を示す。ファイル画像４１Ｅは、ファイルＥを示す。ファイル画像４１Ｅ中のファイル名画像は「ｅｅｅ」を示し、ファイル形式画像は「ＪＰＥＧ」を示し、識別記号画像は「０００」を示す。
【００２１】
また、表示部３０によれば、ユーザーが操作画像をタッチ（押圧）することで、種々の実行指令が制御装置１０に入力される。ユーザーは、複数のファイル画像４１Ａ〜４１Ｅから１個のファイル画像を第１タッチすることによって、プリンター部８１は、ファイル画像で示されるファイルに基づいて印刷画像をシートＳに形成する。第１タッチは、印刷処理を実行する入力操作である。第１タッチされたファイル画像は、所定画像を含む。従って、表示部３０は、選択部としても機能する。例えば、ユーザーは、１個のファイル画像４１Ａを第１タッチすることによって、プリンター部８１は、ファイルＡに基づいて印刷画像をシートＳに形成する。
【００２２】
更に、ユーザーは、複数のファイル画像４１Ａ〜４１Ｅから１個のファイル画像を第２タッチすることによって、表示部３０は、ファイル画像で示されるファイルに基づいてプレビュー画像を表示する。第２タッチは、プレビュー処理を実行する入力操作である。例えば、ユーザーは、１個のファイル画像４１Ａを第２タッチすることによって、表示部３０は、ファイルＡに基づいてプレビュー画像を表示する。第２タッチされたファイル画像は、所定画像を含む。これにより、印刷画像をシートＳに形成する前に、希望するファイルが選択されているか否かをユーザーは判断できる。
【００２３】
続けて、図３を参照して、制御装置１０について説明する。図３は、本実施形態に係る画像形成装置１００を示すブロック図である。
【００２４】
図３に示すように、制御装置１０は、ＣＰＵ（Ｃｅｎｔｒａｌ  Ｐｒｏｃｅｓｓｉｎｇ  Ｕｎｉｔ）１１と、ＨＤＤ（Ｈａｒｄ  Ｄｉｓｋ  Ｄｒｉｖｅ、記憶部）５１と、ＲＡＭ（Ｒａｎｄｏｍ  Ａｃｃｅｓｓ  Ｍｅｍｏｒｙ、記憶部）５２と、ＲＯＭ（Ｒｅａｄ  Ｏｎｌｙ  Ｍｅｍｏｒｙ）５３と、システムバス２３と、イメージプロセッサー８４と、画像バス２２と、インターフェイス（Ｉ／Ｆ）２１とを備える。イメージプロセッサー８４は、ＲＩＰ８３（第１イメージプロセッサー）と、画像処理部８２（第２イメージプロセッサー）とを有する。
【００２５】
ＣＰＵ１１と、ＨＤＤ５１と、ＲＡＭ５２と、ＲＯＭ５３と、表示部３０と、着脱部６１とは、システムバス２３に接続されている。システムバス２３は、例えば、Ｌｏｃａｌバスで構成される。プリンター部８１と、ＲＩＰ８３と、画像処理部８２とは、画像バス２２に接続されている。画像バス２２は、例えば、ＰＣＩ（Ｐｅｒｉｐｈｅｒａｌ  Ｃｏｍｐｏｎｅｎｔ  Ｉｎｔｅｒｃｏｎｎｅｃｔ）バスで構成される。システムバス２３と画像バス２２とは、Ｉ／Ｆ２１を介して接続されている。
【００２６】
ＣＰＵ１１は、システムバス２３及び画像バス２２に接続された画像形成装置１００の各部の動作を制御する。ＲＯＭ５３は、画像形成装置１００の各部の動作を制御するための制御プログラムを記憶する。ＨＤＤ５１及びＲＡＭ５２は、各種のデータを記憶する。
【００２７】
ＲＩＰ８３は、情報が入力されると、情報をラスター処理することによって、ラスターイメージを生成する。ラスターイメージは、例えば、ビットマップイメージデータである。
【００２８】
画像処理部８２は、ラスターイメージが入力されると、ラスターイメージを縮小処理することによって、縮小ラスターイメージを生成する。
【００２９】
ＣＰＵ１１は、ＲＯＭ５３に記憶された制御プログラムを実行することによって、検知部１１ａ、作成部１１ｂ、判定部１１ｃ、表示制御部１１ｄ及び記憶制御部１１ｅとして機能する。
【００３０】
記憶媒体６２が着脱部６１に装着されたか否かを検知部１１ａは検知する。例えば、ユーザーが着脱部６１に記憶媒体６２を挿入したときに、記憶媒体６２が着脱部６１に装着されたと検知部１１ａは検知する。また、記憶媒体６２が着脱部６１から取り外されたか否かを検知部１１ａは検知する。ユーザーが着脱部６１から記憶媒体６２を取り外したときに、記憶媒体６２が着脱部６１から取り外されたと検知部１１ａは検知する。
【００３１】
作成部１１ｂは、記憶媒体６２からファイル一覧情報を取得することによって、ファイル一覧画像４０を表示部３０に表示させる。例えば、記憶媒体６２が着脱部６１に装着されたと検知部１１ａが検知すると、作成部１１ｂは、記憶媒体６２に記憶されている情報を検索する。検索した結果、作成部１１ｂは、記憶媒体６２からファイル一覧情報を取得することによって、ファイル一覧情報をＨＤＤ５１又はＲＡＭ５２に記憶させる。ファイル一覧情報は、記憶媒体６２に記憶された複数のファイルＡ〜Ｅの情報を示す。複数のファイルＡ〜Ｅの情報の各々は、ファイル名と、ファイル形式とを含む。
【００３２】
ファイル一覧情報をＨＤＤ５１又はＲＡＭ５２に記憶させると、作成部１１ｂは、図２に示すように、ファイル一覧画像４０を表示部３０に表示させる。
【００３３】
ここで、ファイル画像４１Ａ〜ファイル画像４１Ｅ中の識別記号画像について説明する。ファイル画像４１Ｂ中の識別記号画像は、「００１」を示す。「００１」は、ファイルＢに識別記号が付与されていることを示すとともに、「００１」が対応付けられたプレビュー画像を示す。「００１」が対応付けられたプレビュー画像は、ＨＤＤ５１又はＲＡＭ５２に記憶されている。また、ファイル画像４１Ｄ中の識別記号画像は、「００２」を示す。「００２」は、ファイルＤに識別記号が付与されていることを示すとともに、「００２」が対応付けられたプレビュー画像を示す。「００２」が対応付けられたプレビュー画像は、ＨＤＤ５１又はＲＡＭ５２に記憶されている。更に、ファイル画像４１Ａ中とファイル画像４１Ｃ中とファイル画像４１Ｅ中との識別記号画像は、「０００」を示す。「０００」は、ＨＤＤ５１又はＲＡＭ５２に記憶されたプレビュー画像が存在せず、ファイルＡとファイルＣとファイルＥとに識別記号が付与されていないことを示す。なお、記憶媒体６２が着脱部６１に装着されたと検知部１１ａが検知した時点では、ファイル画像４１Ａ〜ファイル画像４１Ｅ中の全ての識別記号画像は、「０００」を示し、記憶制御部１１ｅがプレビュー画像を記憶させる処理が実行されると、識別記号画像が変更される。
【００３４】
判定部１１ｃは、複数のファイルから１個のファイル（所定情報）が選択されたときに、ファイルに識別記号が付与されているか否かを判定する。例えば、ユーザーは、複数のファイル画像４１Ａ〜４１Ｅから１個のファイル画像４１Ａを第２タッチする。ファイル画像４１Ａ中の識別記号画像は、「０００」を示すので、ファイルＡに識別記号が付与されていないと判定する。また、ユーザーは、複数のファイル画像４１Ａ〜４１Ｅから１個のファイル画像４１Ｂを第２タッチする。ファイル画像４１Ｂ中の識別記号画像は、「００１」を示すので、ファイルＢに識別記号が付与されていると判定する。
【００３５】
表示部３０がプレビュー画像を表示するように、表示制御部１１ｄは表示部３０を制御する。ファイルに識別記号が付与されていないと判定部１１ｃが判定したときには、表示制御部１１ｄは、記憶媒体６２からファイルを取得する。また、イメージプロセッサー８４がプレビュー画像を作成するように、表示制御部１１ｄはイメージプロセッサー８４を制御する。具体的には、まず、表示制御部１１ｄは、ファイルに含まれる情報の一部をＲＩＰ８３にラスター処理させることによって、ラスターイメージを生成させる。ファイルに含まれる情報の一部は、例えば、トップページである。次に、表示制御部１１ｄは、ラスターイメージの面積と表示画面の面積とを比較する。比較結果としてラスターイメージの面積が表示画面の面積の４倍より小さいときには、表示制御部１１ｄは、プレビュー画像としてラスターイメージを表示部３０に表示させる。
【００３６】
一方、ラスターイメージの面積が表示画面の面積の４倍より大きいときには、表示制御部１１ｄは、画像処理部８２にラスターイメージを１／４の大きさに縮小処理させることによって、縮小ラスターイメージを生成させる。表示制御部１１ｄは、プレビュー画像として縮小ラスターイメージを表示部３０に表示させる。
【００３７】
表示制御部１１ｄがプレビュー画像を表示部３０に表示させると、記憶制御部１１ｅは、プレビュー画像を識別記号と対応付けてＨＤＤ５１又はＲＡＭ５２に記憶させるとともに、ファイルに識別記号を付与する。例えば、表示制御部１１ｄがファイルＢに基づくプレビュー画像を表示部３０に表示させる。記憶制御部１１ｅは、プレビュー画像を「００１」と対応付けてＨＤＤ５１又はＲＡＭ５２に記憶させる。また、記憶制御部１１ｅは、ファイルＢに「００１」を付与する。
【００３８】
一方、識別記号が付与されていると判定部１１ｃが判定したときには、表示制御部１１ｄは、「００１」が対応付けられたプレビュー画像をＨＤＤ５１又はＲＡＭ５２から取得する。表示制御部１１ｄは、プレビュー画像を表示部３０に表示させる。つまり、表示制御部１１ｄは、ＨＤＤ５１又はＲＡＭ５２にプレビュー画像が存在するので、ファイルに含まれる情報をＲＩＰ８３にラスター処理させない。
【００３９】
そして、記憶媒体６２が着脱部６１から取り外されたと検知部１１ａが検知すると、記憶制御部１１ｅは、ファイル一覧情報及びプレビュー画像をＨＤＤ５１又はＲＡＭ５２から削除する。
【００４０】
次に、図４を参照して、本実施形態に係る制御装置１０の処理について説明する。図４は、本実施形態に係る制御装置１０の処理を示すフローチャートである。制御装置１０の処理は、ステップＳ１０１〜ステップＳ１１０を含む。
ステップＳ１０１において、記憶媒体６２が着脱部６１に装着されたか否かを検知部１１ａは検知する。
【００４１】
記憶媒体６２が着脱部６１に装着されていないと検知部１１ａが検知した場合（ステップＳ１０１でＮＯ）には、処理が待機状態になる。一方、記憶媒体６２が着脱部６１に着けられたと検知部１１ａが検知した場合（ステップＳ１０１でＹＥＳ）には、処理がステップＳ１０２に進む。
【００４２】
ステップＳ１０２において、作成部１１ｂは、ファイル一覧情報に基づいてファイル一覧画像４０を表示部３０に表示させる。ファイル一覧画像４０が表示されると、処理がステップＳ１０３に進む。
【００４３】
ステップＳ１０３において、複数のファイルから１個のファイルが選択されたときに、ファイルに識別記号が付与されているか否かを判定部１１ｃは判定する。ファイルに識別記号が付与されていないと判定部１１ｃが判定した場合（ステップＳ１０３でＮＯ）には、処理がステップＳ１０４に進む。
【００４４】
ステップＳ１０４において、表示制御部１１ｄは、ファイルに含まれる情報の一部をＲＩＰ８３にラスター処理させることによって、ラスターイメージを生成させる。ラスターイメージが生成すると、処理がステップＳ１０５に進む。
【００４５】
ステップＳ１０５において、表示制御部１１ｄは、ラスターイメージの面積と表示画面の面積とを比較する。ラスターイメージの面積が表示画面の面積の４倍より小さくないとき（ステップＳ１０５でＮＯ）には、処理がステップＳ１０６に進む。
【００４６】
ステップＳ１０６において、表示制御部１１ｄは、画像処理部８２にラスターイメージを縮小処理させることによって、縮小ラスターイメージを生成させる。表示制御部１１ｄは、プレビュー画像として縮小ラスターイメージを表示部３０に表示させる。また、記憶制御部１１ｅは、縮小ラスターイメージを識別記号と対応付けてＨＤＤ５１又はＲＡＭ５２に記憶させるとともに、ファイルに識別記号を付与する。縮小ラスターイメージが表示され記憶されると、処理がステップＳ１０７に進む。
【００４７】
ステップＳ１０７において、記憶媒体６２が着脱部６１から取り外されたか否かを検知部１１ａは検知する。記憶媒体６２が着脱部６１から取り外されていないと検知部１１ａが検知した場合（ステップＳ１０７でＮＯ）には、処理がステップＳ１０３に戻る。一方、記憶媒体６２が着脱部６１から取り外されたと検知部１１ａが検知した場合（ステップＳ１０７でＹＥＳ）には、処理がステップＳ１０８に進む。
【００４８】
ステップＳ１０８において、記憶制御部１１ｅは、ファイル一覧情報及びプレビュー画像をＨＤＤ５１又はＲＡＭ５２から削除する。記憶制御部１１ｅがファイル一覧情報及びプレビュー画像を削除したときには、本実施形態に係る制御装置１０の処理が終了する。
【００４９】
一方、ラスターイメージの面積が表示画面の面積の４倍より小さいとき（ステップＳ１０５でＹＥＳ）には、処理がステップＳ１０９に進む。
ステップＳ１０９において、表示制御部１１ｄは、プレビュー画像としてラスターイメージを表示部３０に表示させる。つまり、表示制御部１１ｄは、画像処理部８２にラスターイメージを縮小処理させない（縮小処理を規制する）。従って、プレビュー画像が短時間で表示される。また、記憶制御部１１ｅは、ラスターイメージを識別記号と対応付けてＨＤＤ５１又はＲＡＭ５２に記憶させるとともに、ファイルに識別記号を付与する。
【００５０】
一方、ファイルに識別記号が付与されていると判定部１１ｃが判定した場合（ステップＳ１０３でＹＥＳ）には、処理がステップＳ１１０に進む。
ステップＳ１１０において、表示制御部１１ｄは、識別記号が対応付けられたプレビュー画像をＨＤＤ５１又はＲＡＭ５２から取得し、プレビュー画像を表示部３０に表示させる。つまり、表示制御部１１ｄは、ＨＤＤ５１又はＲＡＭ５２にプレビュー画像が存在するので、ファイルに含まれる情報をＲＩＰ８３にラスター処理させない。従って、プレビュー画像が短時間で表示される。
【００５１】
以上、図１〜図４を参照して説明したように、本実施形態によれば、ステップＳ１０６においてプレビュー画像として縮小ラスターイメージがＨＤＤ５１又はＲＡＭ５２に記憶される。また、ステップＳ１０９においてプレビュー画像としてラスターイメージがＨＤＤ５１又はＲＡＭ５２に記憶される。プレビュー画像が記憶されたファイルが選択された場合には、表示制御部１１ｄは、記憶されたプレビュー画像を表示部３０に表示させる。その結果、本実施形態によれば、プレビュー画像を短時間で表示できる。
【００５２】
また、ラスターイメージの面積が表示画面の面積の４倍より小さいときには、表示制御部１１ｄは、プレビュー画像として縮小ラスターイメージでなくラスターイメージを表示部３０に表示させている。画像処理部８２にラスターイメージを縮小処理させないので、プレビュー画像を短時間で表示できる。
【００５３】
以上、図面（図１〜図４）を参照しながら本発明の実施形態を説明した。但し、本発明は、本実施形態に限られるものではなく、その要旨を逸脱しない範囲で種々の態様において実施することが可能である（例えば、下記に示す（１）〜（２））。また、本実施形態で示す各構成要素の材質、形状、寸法等は一例であって、特に限定されるものではなく、本発明の構成から実質的に逸脱しない範囲で種々の変更が可能である。
【００５４】
（１）本実施形態では、ラスターイメージの面積が表示画面の面積の４倍より小さいときに、表示制御部１１ｄは、プレビュー画像として縮小ラスターイメージでなくラスターイメージを表示部３０に表示させた。ただし、ラスターイメージの面積が表示画面の面積の２倍より小さいときに、表示制御部１１ｄは、縮小ラスターイメージでなくラスターイメージを表示部３０に表示させてもよい。つまり、ラスターイメージの面積が表示画面の面積の任意の所定倍より小さいときに、表示制御部１１ｄは、ラスターイメージを用いてプレビュー画像を表示部３０に表示させてもよい。
【００５５】
（２）図１〜図４を参照して説明した画像形成装置１００は、電子写真方式のモノクロ複合機であったが、本発明はこれに限られない。画像形成装置１００は、例えば、インクジェット記録方式であってもよいし、カラー複合機であってもよい。例えば、画像形成装置１００がインクジェット記録方式の複合機である実施形態において、画像形成ユニット８０は、記録ヘッドを含む。消耗品は、インクである。また、画像処理装置１０１が画像形成装置１００に備えられる場合について説明したが、限定されない。例えば、画像処理装置１０１が、スマートフォン、コンピューター、又は、各種家電機器のような装置でもよい。
【産業上の利用可能性】
【００５６】
本発明は、画像処理装置の分野に利用可能である。
【符号の説明】
【００５７】
１１ａ    検知部
１１ｂ    作成部
１１ｃ    判定部
１１ｄ    表示制御部
１１ｅ    記憶制御部
３０    表示部
５１    ＨＤＤ
５２    ＲＡＭ
６１    着脱部
６２    記憶媒体
８３    第１イメージプロセッサー
８４    イメージプロセッサー
１００    画像形成装置
１０１    画像処理装置
【図１】
2020049751.tif 000003
【図２】
2020049751.tif 000004
【図３】
2020049751.tif 000005
【図４】
2020049751.tif 000006